(57)【要約】      （修正有）【課題】導線を巻き回して駆動コイルを構成する工程において、生産性を向上させることができるステータを提供する。【解決手段】上インシュレータ２７２と下インシュレータ２７３とは、それぞれ、ティースの径方向外側先端部近傍において周方向に拡がる拡大部２７２３を有し、ティースには、上インシュレータおよび下インシュレータを介して導線が巻き回されてコイルが構成されており、下インシュレータの拡大部には、導線が上側から下側に向かって巻き回されている領域の近傍における周方向外側かつ上側の外縁に案内部Ｇ１が構成される。【選択図】図７
2018207604.tif 000002
【特許請求の範囲】
【請求項１】
上下方向に延びる中心軸を中心とする環状のコアバックを有するステータコアと、
前記ステータコアの上側に配置される上インシュレータと、
前記ステータコアの下側に配置される下インシュレータと、
を備え、
前記ステータコアは、
前記コアバックから径方向に突出する複数のティースと、
前記ティースの径方向先端部から周方向に延びるアンブレラ部と、
を有し、
前記上インシュレータは、前記ティースの上面の少なくとも一部を覆い、
前記下インシュレータは、前記ティースの下面の少なくとも一部を覆い、
前記上インシュレータと前記下インシュレータとは、それぞれ、前記ティースの径方向外側先端部近傍において周方向に拡がる拡大部を有し、
前記ティースには、前記上インシュレータおよび前記下インシュレータを介して導線が巻き回されてコイルが構成されており、
前記下インシュレータの前記拡大部には、前記導線が上側から下側に向かって巻き回されている領域の近傍における周方向外側かつ上側の外縁に案内部が構成される、ステータ。
【請求項２】
前記下インシュレータの前記拡大部は、周方向に延びて上側に突出する下インシュレータ壁部を有し、
前記上インシュレータの前記拡大部は、周方向に延びて下側に突出する上インシュレータ壁部を有し、
前記下インシュレータ壁部は、前記上インシュレータ壁部よりも径方向内側に配置され、
前記下インシュレータ壁部と前記上インシュレータ壁部が隙間を介して対向することにより溝部が構成され、
前記下インシュレータ壁部には、前記導線が上側から下側に向かって巻き回されている領域の近傍における周方向外側かつ上側の外縁のみに前記案内部が構成される、請求項１に記載のステータ。
【請求項３】
前記上インシュレータの前記拡大部は、前記案内部と軸方向に対向する領域において、周方向外側かつ下側に向かって延びる上インシュレータ角部を有する、請求項１または請求項２に記載のステータ。
【請求項４】
前記下インシュレータの前記拡大部において、前記案内部が配置される側と周方向反対側の外端部には、周方向外側かつ上側に延びる下インシュレータ角部が構成される、請求項３に記載のステータ。
【請求項５】
前記上インシュレータの前記拡大部と、前記下インシュレータの前記拡大部とは、軸方向に隙間を介して対向する、請求項１から請求項４のいずれか１項に記載のステータ。
【請求項６】
前記案内部の数は、前記ティースの数と等しい、請求項１から請求項５のいずれか１項に記載のステータ。
【請求項７】
前記案内部が、周方向外側かつ下側に向かって滑らかに湾曲する湾曲面を有する、請求項１から請求項６のいずれか１項に記載のステータ。
【請求項８】
前記拡大部の少なくとも一部は、前記アンブレラ部における前記コアバック側の面に接触する、請求項１から請求項７のいずれか１項に記載のステータ。
【請求項９】
前記上インシュレータの前記拡大部の少なくとも一部は、前記アンブレラ部の上面に接触し、
前記下インシュレータの前記拡大部の少なくとも一部は、前記アンブレラ部の下面に接触する、請求項１から請求項８のいずれか１項に記載のステータ。
【請求項１０】
前記拡大部の径方向内側の面は、湾曲する、請求項１から請求項９のいずれか１項に記載のステータ。
【請求項１１】
請求項１から請求項１０のいずれか１項に記載のステータと、
前記ステータに対して径方向外側または径方向内側に配置され、前記ステータに対して回転可能なロータと、を備えるモータ。
【請求項１２】
前記アンブレラ部は、前記コアバックよりも径方向外側に配置され、
前記ロータは、前記アンブレラ部よりも径方向外側に配置される、請求項１１に記載のモータ。
【発明の詳細な説明】
【技術分野】
【０００１】
本発明は、ステータおよびモータに関する。
【背景技術】
【０００２】
電動機に用いられる固定子の一例は、特許文献１に開示される。特許文献１の固定子は、複数のスロットルを有する固定子鉄心に絶縁材にて形成されたインシュレータを介して駆動コイルを巻き回すことで構成される。固定子鉄心の極歯ごとにインシュレータを介して駆動コイルが巻き回される。
【０００３】
極歯の先端部には、磁石回転子の回転方向に張り出したポールピース部が配置される。ポールピース部のインシュレータには、駆動コイルの磁石回転子側への崩れを防止する鍔部が設けられる。鍔部の角部は円弧状である。鍔部の一方の対角の角部には、曲率の大きな円弧部が形成され、他方の対角の角部には、曲率の小さな円弧部が形成される。
【０００４】
このような構成によれば、曲率の大きな円弧部により、巻線ノズルが直線軌道から円弧軌道に移行するタイミングを早くし、駆動コイルとインシュレータの間の隙間を小さくし、固定子鉄心から軸方向に突出するコイルエンドの高さを小さくできる、としている。
【先行技術文献】
【特許文献】
【０００５】
【特許文献１】特開２００９−９５２３３号公報
【発明の概要】
【発明が解決しようとする課題】
【０００６】
しかしながら、上記特許文献１の固定子を製造する際に、磁石回転子の回転軸方向にインシュレータが分割されている場合、導線を巻き回して駆動コイルを構成する工程において、分割されたインシュレータの嵌合部に導線が引っ掛かり、生産性が低下する可能性がある。
【０００７】
上記状況に鑑み、本発明は、生産性を向上させることができるステータを提供することを目的とする。
【課題を解決するための手段】
【０００８】
本発明の例示的なステータは、上下方向に延びる中心軸を中心とする環状のコアバックを有するステータコアと、前記ステータコアの上側に配置される上インシュレータと、前記ステータコアの下側に配置される下インシュレータと、を備え、前記ステータコアは、前記コアバックから径方向に突出する複数のティースと、前記ティースの径方向先端部から周方向に延びるアンブレラ部と、を有し、前記上インシュレータは、前記ティースの上面の少なくとも一部を覆い、前記下インシュレータは、前記ティースの下面の少なくとも一部を覆い、前記上インシュレータと前記下インシュレータとは、それぞれ、前記ティースの径方向外側先端部近傍において周方向に拡がる拡大部を有し、前記ティースには、前記上インシュレータおよび前記下インシュレータを介して導線が巻き回されてコイルが構成されており、前記下インシュレータの前記拡大部には、前記導線が上側から下側に向かって巻き回されている領域の近傍における周方向外側かつ上側の外縁に案内部が構成される。
【発明の効果】
【０００９】
本発明の例示的なステータによれば、生産性を向上させることができる。
【図面の簡単な説明】
【００１０】
【図１】図１は、本発明の一実施形態に係る軸流ファンの斜視図である。
【図２】図２は、軸流ファンからインペラを取り外した状態を示す斜視図である。
【図３】図３は、本発明の一実施形態に係る軸流ファンの一部縦断面斜視図である。
【図４】図４は、軸流ファンに備えられるモータの斜視図である。
【図５】図５は、本発明の一実施形態に係るステータの斜視図である。
【図６】図６は、ステータを分解した状態の一部構成を示す斜視図である。
【図７】図７は、ステータの要部拡大図である。
【発明を実施するための形態】
【００１１】
以下に本発明の例示的な実施形態について図面を参照して説明する。なお、以下の説明では、中心軸Ｃ１の延びる方向を「上下方向」とする。中心軸Ｃ１を中心とする径方向を単に「径方向」と呼び、中心軸Ｃ１を中心とする周方向を単に「周方向」と呼ぶ。但し、上記上下方向は、実際の機器に組み込まれたときの位置関係および方向を示すものではない。また、各図面において、上側をＸ１、下側をＸ２として表記する。
【００１２】
＜１．軸流ファンの全体構成＞
まず、本発明の一実施形態に係る軸流ファンの全体構成について説明する。図１は、本発明の一実施形態に係る軸流ファン５０の斜視図である。図２は、軸流ファン５０からインペラ１を取り外した状態を示す斜視図である。図３は、軸流ファン５０の一部縦断面斜視図である。図４は、軸流ファン５０に備えられるモータ２の斜視図である。
【００１３】
軸流ファン５０は、インペラ１と、モータ２と、モータベース部３と、ハウジング４と、リブ５と、を備える。
【００１４】
モータベース部３、ハウジング４、およびリブ５は、同一部材として樹脂材により形成される。ハウジング４は、内部にインペラ１およびモータ２を収容し、インペラ１およびモータ２よりも径方向外側に配置される。
【００１５】
モータ２は、インペラ１を中心軸Ｃ１を中心に回転駆動させる。モータ２は、軸受部２１と、オイル保持フェルト２２と、チップホルダ２３と、ＭＧチップ２４と、ワッシャ２５と、シャフト２６と、ステータ２７と、ロータ２８と、回路基板２９と、を有する。
【００１６】
モータベース部３は、周方向の４か所においてハウジング４とリブ５によって連結され、モータ２を支持する。モータベース部３は、下面側において径方向に拡がる基部３１と、基板３１の中央部から上側に突出する軸受保持部３２と、を有する。
【００１７】
軸受保持部３２は、内部に軸受部２１を保持する。軸受部２１は、スリーブベアリングで構成される。なお、軸受部２１は、上下に配置される一対のボールベアリングで構成してもよい。
【００１８】
軸受保持部３２は内部に、軸受部２１の他に、オイル保持フェルト２２、チップホルダ２３、ＭＧチップ２４、およびワッシャ２５を収容する。
【００１９】
シャフト２６は、中心軸Ｃ１に沿って上下方向に延びる柱状の部材であり、例えばステンレス等の金属から形成される。軸受部２１は、シャフト２６を中心軸Ｃ１を中心に回転可能に保持する。
【００２０】
ステータ２７は、軸受保持部３２の径方向外側に配置され、軸受保持部３２に固定される。ステータ２７は、ステータコア２７１と、上インシュレータ２７２と、下インシュレータ２７３と、複数のコイル２７４と、を有する。ステータコア２７１は、ケイ素鋼板等の電磁鋼板を上下方向に積層した積層鋼板からなる。上インシュレータ２７２および下インシュレータ２７３は、絶縁性の樹脂により形成される。コイル２７４は、ステータコア２７２の周囲を上インシュレータ２７２および下インシュレータ２７４を介して導線が上下方向に巻き回されることで構成される。ステータ２７のより詳細な構成については後述する。
【００２１】
ステータコア２７１の下側には、回路基板２９が配置される。回路基板２９は、コイル２７４に駆動電流を与えるための電子回路が実装された基板である。コイル２７４の引出線は、上記電子回路に電気的に接続される。
【００２２】
ロータ２８は、ロータヨーク２８１と、マグネット２８２と、を有する。ロータヨーク２８１は、上方に天板部２８１Ａを有して下方が開口した略円筒型の部材であり、磁性体により形成される。天板部２８１Ａは、上下方向に貫通する開口部を有する。ロータヨーク２８１の内周面には、円筒状のマグネット２８２が固定される。マグネット２８２は、ステータ２７の径方向外側に配置される。マグネット２８２の内周側の磁極面は、Ｎ極、Ｓ極で周方向に交互に並ぶ。ロータヨーク２８１とマグネット２８２との間で磁気回路が形成され、マグネット２８２から軸流ファン５０外部への漏洩磁束を低減することができる。
【００２３】
インペラ１は、インペラカップ１１と、複数の羽根１２と、を有し、樹脂材により形成される。インペラカップ１１は、上方に蓋１１Ａを有する略円筒状の部材である。蓋１１Ａには、シャフト２６が固定される。インペラカップ１１の内側には、ロータヨーク２８１が固定される。インペラカップ１１の径方向外側に複数の羽根１２が形成される。
【００２４】
このような構成の軸流ファン５０において、ステータ２７のコイル２７４に駆動電流を与えると、ステータコア２７１に径方向の磁束が生じる。そして、ステータコア２７１とマグネット２８２との間の磁束の作用により、ロータ２８に周方向のトルクが発生する。その結果、ロータ２８とインペラ１とからなる回転部が、中心軸Ｃ１を中心として回転する。インペラ１は、上面視において左回りに回転する。
【００２５】
インペラ１が回転すると、複数の羽根１２により、気流が発生する。すなわち、軸流ファン５０の上側を吸気側、下側を排気側とした気流が発生し、送風を行うことができる。
【００２６】
＜２．ステータの構成＞
次に、本実施形態のモータ２に備えられるステータ２７の構成について、より詳細に説明する。図５は、本実施形態に係るステータ２７の構成を示す斜視図である。図６は、ステータ２７を分解した状態を示す斜視図である。ただし、図６では、コイル２７４については表記していない。図６（Ａ）は、上インシュレータ２７２の斜視図、図６（Ｂ）は、ステータコア２７１の斜視図、図６（Ｃ）は、下インシュレータ２７３の斜視図である。
【００２７】
図６に示すように、ステータコア２７１は、コアバック２７１１と、複数のティース２７１２と、複数のアンブレラ部２７１３を有する。コアバック２７１１は、中心軸Ｃ１を中心とする環状をしており、ステータコア２７１の中央に位置する。
【００２８】
複数のティース２７１２は、コアバック２７１１の外周面から径方向外側へ放射状に突出して構成される。本実施形態では、ティース２７１２の個数は一例として４個としている。すなわち、本実施形態のモータ２は、４スロットのモータとなる。アンブレラ部２７１３は、ティース２７１２の径方向外側先端部から周方向に延びて構成される。すなわち、アンブレラ部２７は、ティース２７１２と同じ個数だけ構成される。
【００２９】
上インシュレータ２７２は、ステータコア２７１の上側に配置される。上インシュレータ２７２は、中央上カバー部２７２１と、複数のティース上カバー部２７２２と、複数の拡大部２７２３を有する。
【００３０】
中央上カバー部２７２１は、コアバック２７１１の上面および外周面を覆う。ティース上カバー部２７２２は、中央上カバー部２７２１から径方向外側へ放射状に突出して構成される。ティース上カバー部２７２２は、ティース２７１２の上面および周方向に対向する側面を覆う。ティース上カバー部２７２２は、ティース２７１２の個数と同じだけ構成される。
【００３１】
拡大部２７２３は、ティース上カバー部２７２２の径方向外側先端部から周方向に拡がって構成される。拡大部２７２３は、アンブレラ部２７１３の上面およびコアバック２７１１側の側面を覆う。拡大部２７２３は、ティース上カバー部２７２２の個数と同じだけ構成される。
【００３２】
拡大部２７２３は、拡大カバー部２７２３Ａと、上インシュレータ壁部２７２３Ｂと、補助壁部２７２３Ｃを有する。拡大カバー部２７２３Ａは、ティース上カバー部２７２２の上面における径方向外側先端部から周方向に拡大して構成される板状部である。
【００３３】
上インシュレータ壁部２７２３Ｂは、ティース上カバー部２７２２を挟んだ周方向両側において周方向に延びて拡大カバー部２７２３Ａから下側へ突出する。補助壁部２７２３Ｃは、ティース上カバー部２７２２を挟んだ周方向両側において周方向に延びて拡大カバー部２７２３Ａの径方向内側縁部から下側へ突出し、上インシュレータ壁部２７２３Ｂより径方向内側において上インシュレータ壁部２７２３Ｂに接する。補助壁部２７２３Ｃの突出量は、上インシュレータ壁部２７２３Ｂの突出量よりも小さい。
【００３４】
下インシュレータ２７３は、ステータコア２７１の下側に配置される。下インシュレータ２７３は、中央下カバー部２７３１と、複数のティース下カバー部２７３２と、複数の拡大部２７３３を有する。
【００３５】
中央下カバー部２７３１は、コアバック２７１１の下面および外周面を覆う。ティース下カバー部２７３２は、中央下カバー部２７３１から径方向外側へ放射状に突出して構成される。ティース下カバー部２７３２は、ティース２７１２の下面および周方向に対向する側面を覆う。ティース下カバー部２７３２は、ティース２７１２の個数と同じだけ構成される。
【００３６】
拡大部２７３３は、ティース下カバー部２７３２の径方向外側先端部から周方向に拡がって構成される。拡大部２７３３は、アンブレラ部２７１３の下面およびコアバック２７１１側の側面を覆う。拡大部２７３３は、ティース下カバー部２７３２の個数と同じだけ構成される。
【００３７】
拡大部２７３３は、拡大カバー部２７３３Ａと、下インシュレータ壁部２７３３Ｂと、補助壁部２７３３Ｃを有する。拡大カバー部２７３３Ａは、ティース下カバー部２７３２の下面における径方向外側先端部から周方向に拡大して構成される板状部である。
【００３８】
下インシュレータ壁部２７３３Ｂは、ティース下カバー部２７３２を挟んだ周方向両側において周方向に延びて拡大カバー部２７３３Ａの径方向内側縁部から上側へ突出する。補助壁部２７３３Ｃは、ティース下カバー部２７３２を挟んだ周方向両側において周方向に延びて拡大カバー部２７３３Ａから上側へ突出し、下インシュレータ壁部２７３３Ｂより径方向外側において下インシュレータ壁部２７３３Ｂに接する。補助壁部２７３３Ｃの突出量は、下インシュレータ壁部２７３３Ｂの突出量よりも小さい。
【００３９】
上インシュレータ２７２をステータコア２７１の上側に取り付けた状態で、拡大カバー部２７２３Ａは、アンブレラ部２７１３の上面一部に接触しつつ、当該上面一部を上方から覆い、上インシュレータ壁部２７２３Ｂは、アンブレラ部２７１３のコアバック２７１１側の面に接触する。
【００４０】
また、下インシュレータ２７３をステータコア２７１の下側に取り付けた状態で、拡大カバー部２７３３Ａは、アンブレラ部２７１３の下面一部に接触しつつ、当該下面一部を下方から覆い、補助壁部２７３３Ｃは、アンブレラ部２７１３のコアバック２７１１側の面に接触する。
【００４１】
すなわち、拡大部２７２３、２７３３の少なくとも一部は、アンブレラ部２７１３におけるコアバック２７１１側の面に接触する。これにより、上インシュレータ２７２および下インシュレータ２７３をステータコア２７１に強固に固定することができる。
【００４２】
また、上インシュレータ２７２の拡大部２７２３の少なくとも一部は、アンブレラ部２７１３の上面に接触し、下インシュレータ２７３の拡大部２７３３の少なくとも一部は、アンブレラ部２７１３の下面に接触する。これにより、上インシュレータ２７２および下インシュレータ２７３の軸方向の位置決めが可能となる。
【００４３】
上記のようにステータコア２７１に対して上インシュレータ２７２および下インシュレータ２７３を固定した状態で、導線の巻き回しによりコイル２７４を構成することにより、ステータ２７が構成される。具体的には、ティース上カバー部２７２２およびティース下カバー部２７３２の周囲において導線を上下方向に巻き回すことで、コイル２７４が構成される。すなわち、ティース２７１２に上インシュレータ２７２および下インシュレータ２７３を介して導線が巻き回される。
【００４４】
図５に示すように、コイル２７４は、ティース２７１２ごとに構成されるので、ティース２７１２の個数と同じ４つのコイル２７４が構成される。図５において、コイル２７４に表記された白抜き矢印は、導線を巻き回す方向を示す。
【００４５】
４つのコイル２７４のうち図５に示すコイル２７４Ａについての上インシュレータ２７２、下インシュレータ２７３、およびステータコア２７１の構成を代表的に示す要部拡大図を図７に示す。図７に示すように、下インシュレータ壁部２７３３Ｂの周方向外側かつ上側の外縁には、案内部Ｇ１が構成される。案内部Ｇ１は、図５に示す白抜き矢印の方向に導線が巻き回されて構成されるコイル２７４Ａにおいて、導線が上側から下側に向かって巻き回される領域Ｒ１の近傍に位置する。
【００４６】
このように本実施形態のステータ２７は、上下方向に延びる中心軸Ｃ１を中心とする環状のコアバック２７１１を有するステータコア２７１と、ステータコア２７１の上側に配置される上インシュレータ２７２と、ステータコア２７１の下側に配置される下インシュレータ２７３と、を備える。ステータコア２７１は、コアバック２７１１から径方向に突出する複数のティース２７１２と、ティース２７１２の径方向先端部から周方向に延びるアンブレラ部２７１３と、を有する。上インシュレータ２７２は、ティース２７１２の上面の少なくとも一部を覆い、下インシュレータ２７３は、ティース２７１２の下面の少なくとも一部を覆う。上インシュレータ２７２と下インシュレータ２７３とは、それぞれ、ティース２７１２の径方向外側先端部近傍において周方向に拡がる拡大部２７２３、２７３３を有し、ティース２７１２には、上インシュレータ２７２および下インシュレータ２７３を介して導線が巻き回されてコイル２７４が構成されており、下インシュレータ２７３の拡大部２７３３には、前記導線が上側から下側に向かって巻き回されている領域Ｒ１の近傍における周方向外側かつ上側の外縁に案内部Ｇ１が構成される。
【００４７】
このような構成によれば、導線を巻き回してコイル２７４を構成する際に、上側から下側へ向かって巻き回される導線が拡大部２７３３に接触した場合でも、導線が案内部Ｇ１によって案内されて拡大部２７３３から離れる。従って、導線が拡大部２７３３に引っ掛かりにくくなり、ステータ２７の生産性を向上させることができる。
【００４８】
また、図７に示すように、下インシュレータ壁部２７３３Ｂは、上インシュレータ壁部２７２３Ｂよりも径方向内側に配置される。下インシュレータ壁部２７３３Ｂと上インシュレータ壁部２７２３Ｂとが隙間を介して対向することにより、当該隙間に溝部Ｗ１が構成される。そして、図５に示すコイル２７４Ａにおける導線が下側から上側へ向かって巻き回される領域Ｒ２の近傍の領域ｒ１（図７）においては、下インシュレータ壁部２７３３Ｂに案内部は構成されない。従って、下インシュレータ壁部２７３３Ｂには、案内部として案内部Ｇ１のみが構成される。
【００４９】
すなわち、下インシュレータ２７３の拡大部２７３３は、周方向に延びて上側に突出する下インシュレータ壁部２７３３Ｂを有し、上インシュレータ２７２の拡大部２７２３は、周方向に延びて下側に突出する上インシュレータ壁部２７２３Ｂを有し、下インシュレータ壁部２７３３Ｂは、上インシュレータ壁部２７２３Ｂよりも径方向内側に配置され、下インシュレータ壁部２７３３Ｂと上インシュレータ壁部２７２３Ｂが隙間を介して対向することにより溝部Ｗ１が構成される。下インシュレータ壁部２７３３Ｂには、前記導線が上側から下側に向かって巻き回されている領域の近傍における周方向外側かつ上側の外縁のみに案内部Ｇ１が構成される。
【００５０】
案内部Ｇ１が形成されない場合においては、導線が上側から下側に向かって巻き回される領域の近傍では、導線が溝部Ｗ１にはまり込み易い。しかしながら、本実施形態においては案内部Ｇ１が構成されるので、導線は案内部Ｇ１によって溝部Ｗ１の外側に排出されるように案内されて下インシュレータ壁部２７３３Ｂから離れることができる。一方、導線が下側から上側へ向かって巻き回される領域の近傍では、溝部Ｗ１が導線が巻き回される方向と反対側に向かって形成されているため、導線が溝部Ｗ１にはまり込みにくいので、導線を案内する案内部は不要となる。従って、導線が下側から上側へ向かって巻き回される領域の近傍には案内部が構成されないため、下インシュレータ２７３と上インシュレータ２７２との隙間が拡がることを回避できる。
【００５１】
また、上インシュレータ２７２の補助壁部２７２３Ｃには、案内部Ｇ１と軸方向に対向する領域において、外側かつ下側に向かって延びる上インシュレータ角部ＣＲ１が構成される。
【００５２】
すなわち、上インシュレータ２７２の拡大部２７２３は、案内部Ｇ１と軸方向に対向する領域において、周方向外側かつ下側に向かって延びる上インシュレータ角部ＣＲ１を有する。これにより、下インシュレータ２７３と上インシュレータ２７２との隙間を狭くし、導線が隙間に入りにくくなる。
【００５３】
また、下インシュレータ壁部２７３３Ｂにおいて案内部Ｇ１とは周方向反対側の外端部には、周方向外側かつ上側に向かって延びる下インシュレータ角部ＣＲ２が構成される。
【００５４】
すなわち、下インシュレータ２７３の拡大部２７３３において、案内部Ｇ１が配置される側と周方向反対側の外端部には、周方向外側かつ上側に延びる下インシュレータ角部ＣＲ２が構成される。これにより、上下インシュレータの周方向両側において、隙間を狭くして、導線を隙間に入りにくくすることができる。
【００５５】
また、上インシュレータ壁部２７２３Ｂと補助壁部２７３３Ｃとは、隙間Ｓ１を介して軸方向に対向し、補助壁部２７２３Ｃと下インシュレータ壁部２７３３Ｂとは、隙間Ｓ２を介して軸方向に対向する。すなわち、上インシュレータ２７２の拡大部２７２３と、下インシュレータ２７３の拡大部２７３３とは、軸方向に隙間Ｓ２を介して対向する。
【００５６】
本実施形態では、ステータコア２７１の積層に誤差が生じても、上インシュレータ２７２の拡大部２７２３と下インシュレータ２７３の拡大部２７３３とでステータコア２７１を軸方向に挟み込めるように、隙間Ｓ２が生じる設計となっている。なお、隙間Ｓ２が構成される場合であっても、案内部Ｇ１を構成するので、導線の引っ掛かりを抑制することができる。
【００５７】
また、案内部Ｇ１は、周方向外側かつ下側に向かって滑らかに湾曲する湾曲面を有する。これにより、導線が拡大部２７３３Ｂに引っ掛かることをより抑制することができる。なお、案内部Ｇ１は、上記湾曲面に限らず、例えば周方向外側へ向かうに連れて下側へ直線的に傾く傾斜面を有してもよい。
【００５８】
上記では、図７を示して、コイル２７４Ａ（図５）の導線を下方向へ巻き回す領域Ｒ１の近傍において、下インシュレータ壁部２７３３Ｂにガイド部Ｇ１を設ける構成を説明したが、残りの３つのコイル２７４についても同様に、導線を下方向へ巻き回す領域の近傍において、下インシュレータ壁部２７３３Ｂにガイド部Ｇ１を設ける。つまり、図６に示す下インシュレータ２７３のように、各ティース２７１２に対応する各拡大部２７３３において、丸印で囲んだ箇所に案内部Ｇ１が構成される。
【００５９】
従って、案内部Ｇ１の数は、ティース２７１２の数と等しい。これにより、全てのティース２７１２に巻き回される導線について、引っ掛かりを抑制することができる。
【００６０】
なお、補助壁部２７２３Ｃおよび下インシュレータ壁部２７３３Ｂの径方向内側の面は、湾曲する。すなわち、拡大部２７２３、２７３３の径方向内側の面は、湾曲する。これにより、上下インシュレータにおける導線を巻き回す箇所の長さを長くすることができ、コイルの巻き数を増加できる。すなわち、拡大部２７２３、２７３３の径方向内側の面が、ティース上カバー部２７２２が延びる方向に直交する方向に直線状に延びる場合に比べて、ティース上カバー部２７２２の長さを長くできるため、導線を巻き回すスペースが拡がる。ただし、拡大部２７２３、２７３３の径方向内側の面は、必ずしも湾曲していなくてもよい。
【００６１】
ここで、図４に示すように、モータ２においては、ロータヨーク２８１は、アンブレラ部２７１３の径方向外側に配置される。ロータヨーク２８１の内周面に固定されるマグネット２８２は、アンブレラ部２７１３の径方向外側に配置される。
【００６２】
すなわち、本実施形態のモータ２は、所謂アウタロータ型であり、ステータ２７と、ステータ２７に対して径方向外側に配置され、ステータ２７に対して回転可能なロータ２８と、を備える。上記のようにステータ２７の生産性を向上できるので、モータ２の生産性を向上させることができる。
【００６３】
また、アンブレラ部２７１３は、コアバック２７１１よりも径方向外側に配置され、ロータ２８は、アンブレラ部２７１３よりも径方向外側に配置される。このようなアウタロータ型の構成では、アンブレラ部２７１３に沿って拡大部２７２３、２７３３が周方向に拡がるが、この場合であっても、案内部Ｇ１によって導線の引っ掛かりを抑制できる。
【００６４】
＜３．その他＞
以上、本発明の実施形態について説明したが、本発明の趣旨の範囲内であれば、実施形態は種々の変更や組み合わせが可能である。
【００６５】
例えば、本発明は所謂インナロータ型のモータに適用することもできる。この場合、ステータコアにおいては、環状のコアバックに対して径方向内側に向かってティースが突出し、ティースの径方向内側先端部から周方向に延びてアンブレラ部が構成される。アンブレラ部の径方向内側にロータが配置される。上インシュレータおよび下インシュレータの拡大部は、コアバックに沿って周方向に拡がる。このような下インシュレータの拡大部に案内部が構成される。
【００６６】
すなわち、上記インナロータ型のモータは、ステータと、ステータに対して径方向内側に配置され、ステータに対して回転可能なロータと、を備える。これにより、導線の引っ掛かりを抑制することでステータの生産性を向上できるので、インナロータ型のモータの生産性を向上させることができる。
【産業上の利用可能性】
【００６７】
本発明は、例えば軸流ファンに搭載されるモータに好適に利用することができる。ただし、本発明は、遠心ファンや斜流ファン等に利用してもよい。
【符号の説明】
【００６８】
５０・・・軸流ファン、１・・・インペラ、１１・・・インペラカップ、１２・・・羽根、２・・・モータ、２１・・・軸受部、２２・・・オイル保持フェルト、２３・・・チップホルダ、２４・・・ＭＧチップ、２５・・・ワッシャ、２６・・・シャフト、２７・・・ステータ、２７１・・・ステータコア、２７１１・・・コアバック、２７１２・・・ティース、２７１３・・・アンブレラ部、２７２・・・上インシュレータ、２７２１・・・中央上カバー部、２７２２・・・ティース上カバー部、２７２３・・・拡大部、２７２３Ａ・・・拡大カバー部、２７２３Ｂ・・・上インシュレータ壁部、２７２３Ｃ・・・補助壁部、２７３・・・下インシュレータ、２７３１・・・中央下カバー部、２７３２・・・ティース下カバー部、２７３３・・・拡大部、２７３３Ａ・・・拡大カバー部、２７３３Ｂ・・・下インシュレータ壁部、２７３３Ｃ・・・補助壁部、２８・・・ロータ、２８１・・・ロータヨーク、２８２・・・マグネット、２９・・・回路基板、３・・・モータベース部、３１・・・基部、３２・・・軸受保持部、４・・・ハウジング、５・・・リブ、Ｇ１・・・案内部、Ｗ１・・・溝部、Ｓ１、Ｓ２・・・隙間、ＣＲ１・・・上インシュレータ角部、ＣＲ２・・・下インシュレータ角部、Ｃ１・・・中心軸
【図１】
2018207604.tif 000003
【図２】
2018207604.tif 000004
【図３】
2018207604.tif 000005
【図４】
2018207604.tif 000006
【図５】
2018207604.tif 000007
【図６】
2018207604.tif 000008
【図７】
2018207604.tif 000009